(57)【要約】      （修正有）【課題】材質を変えることなく、極めて簡単な構造で、紙などに鉛筆で書いた字を、しかも軽いタッチで、少ない摩滅量で、早く、綺麗に消すことができる消しゴムを提供する。【解決手段】消しゴム本体Ａに、直径１ｍｍ以下の細孔１０１を、消しゴム本体の前後にわたり穿つ。該細孔１０１は、直径０．１ｍｍ〜０．５ｍｍの針を多数本、貫通させることで形成するか、あるいは、消しゴム製造時にその型に成形針を鋳込んで成形後抜き取って形成しても良い。また、上記細孔１０１は、直線状のみならず、曲線等他の方法によっても良い。【選択図】図１
0003158219.tif 000002
【実用新案登録請求の範囲】
【請求項１】
鉛筆で書いた字を消す消しゴムであって、けしゴム本体に直径が1.0mm以下の細孔を設けたことを特徴とする消しゴム。
【請求項２】
細孔が前後に渡っていることを特徴とする請求項１に記載の消しゴム。
【請求項３】
細孔が無方向であることを特徴とする請求項１に記載の消しゴム。
【請求項４】
細孔を曲線線又は直線状にしたことを特徴とする請求項１から請求項３に記載の消しゴム。
【請求項５】
細孔を真球状又は楕球状にしたことを特徴とする請求項１から請求項３に記載の消しゴム。
【考案の詳細な説明】
【技術分野】
【０００１】
本考案は、紙などに鉛筆で書いた字を、一般公知の各種材質の消しゴムを、その材質を変えることなく、軽いタッチで、早く、綺麗に消すことができ、しかも長寿命の素晴らしい「消しゴム」に関するものである。
【背景技術】
【０００２】
一般に、消しゴムは、天然ゴム、人工ゴム、プラスチックゴムなどを原料にして一体物の直方体や円柱状に成型して使用されている。
【０００３】
いずれの材料の消しゴムもその形状を問わず、紙などに鉛筆で書いた字を消すには時間を費やし、しかも、強圧で書いたものほど綺麗に消せず、消しゴム本体を折損やヒビ（罅）割させるなどの損傷により短命なものにするなどの欠点がある。
過去に消しゴム本体内の長手方向に切り込みで分離片を形成した消しゴムが特許文献１で紹介されているが、消しゴム本体を折損やヒビ（罅）割させるなどの損傷を助長し塊状の屑量が多発し短命なものにしている。またゴム本体内の長手方向中空の空隙を有する消しゴムが特許文献２で紹介されているが、中空成形が極めて困難であり、しかも中空なため内壁面が大きく離間して強度低下が著しく、これも消しゴム本体を折損させ且つ中空部の端部からヒビ（罅）割させるなどの損傷により短命なものにする欠点がある。
【特許文献１】実公平08-1914号公報
【特許文献２】特開2001-10289号公報
【考案の開示】
【考案が解決しようとする課題】
【０００４】
本考案は、一般公知の各種材質の消しゴムを、その材質を変えることなく、極めて簡単な構造で、紙などに鉛筆で書いた字を、しかも軽いタッチで、少ない摩滅量で、早く、綺麗に消すことができる素晴らしい「消しゴム」を提供することである。
【課題を解決するための手段】
【０００５】
上記課題を満足させる本考案の基本的な技術構成は、次の(1)〜(5)の通りである。
(1)、鉛筆で書いた字を消す消しゴムであって、けしゴム本体に直径が1.0mm以下の細孔を設けたことを特徴とする消しゴム。
(2)、細孔が前後に渡っていることを特徴とする前記(1)に記載の消しゴム。
(3)、細孔が無方向にであることを特徴とする前記(1)に記載の消しゴム
(4)、細孔を曲線状又は直線状にしたことを特徴とする前記(1)から(3)に記載の消しゴム。
(5)、細孔を真球状又は楕球状にしたことを特徴とする前記(1)から(3)記載の消しゴム。
【考案の効果】
【０００６】
本考案の「消しゴム」は、一般公知の各種材質の消しゴムを、その材質を変えることなく、細孔を多数成型配置した極めて簡単な構造で、紙などに鉛筆で書いた字を、しかも軽いタッチで、早く、綺麗に消すことができる素晴らしい消しゴムである。
即ち、消しゴムの字消し原理は、紙に書いた字にゴム本体を圧接して擦ることでゴム本体を摩滅させながら摩滅部に鉛筆で書いた字の成分を付着させ巻き込みながらその字を消していくものである。
本考案者はこの原理に基き、一度の圧接擦り動作で倍以上の圧接擦り面を確保して消す速度を早くすることに注目して種々研究実験した結果、消しゴム本体に直径が1.0mm以下の細孔つまり内壁面が実質接触状態にある細孔を多数成形配置することにより、ゴム本体の強度を劣化させることなく、紙に書いた字に圧接して擦る面積を細孔表面積の分広げるため、摩滅量を微増に抑えその摩滅部による字の成分付着巻き込み除去速度を速くし、綺麗に消すことができる新規な成果を得たのである。
更に直径が1.0mm以下の該細孔のクッション効能によりゴム本体を折損やヒビ（罅）割させるなどの損傷を皆無にし、その寿命を著しく延命さるなどの優れた作用効果をもたらすものである。
該細孔の直径が1.0mmを越えると内壁面が大きく離間して特許文献２ような問題が発生するため好ましくない。
【考案を実施するための最良の形態】
【０００７】
本考案を実施するための最良の形態は、次の実施例により詳細に説明する、
【実施例１】
【０００８】
図１に実施例１を紹介する。
実施例１の消しゴムAは、直径0.1〜0.5mmの針を多数本をゴム本体の前後に渡って刺し込み貫通させて直線状細孔101を成型した消しゴムである。
この消しゴムの直線状細孔101の成型は、消しゴム製造時にその型に軟質の或いは硬質の成型針を鋳包んで成型後抜き取る方法もある。
【実施例２】
【０００９】
図２に実施例２を紹介する。
実施例２の消しゴムBは、蛇行曲線状細孔102を前後に渡って成型した消しゴムである。
この消しゴムの曲線状細孔102の成型は、消しゴム製造時にその型に蛇行曲線成型用の直径0.1〜0.5mmの軟体線を鋳包んで成型後抜き取る方法等がある。
【実施例３】
【００１０】
図３に実施例３を紹介する。
実施例３の消しゴムCは、球状の細孔103を無方向にランダム配置した消しゴムである。
この消しゴムの球状細孔103の成型は、消しゴム製造時にその型入れ前の液状体にあるとき直径0.05〜1.00mm超微細気泡を攪拌混入させておいた後に、そのまま或いは型内で固化させる方法等がある。
【実施例４】
【００１１】
図４に実施例４を紹介する。
実施例４の消しゴムDは、直線状細孔104を無方向にランダム配置した消しゴムである。
この消しゴムの直線状細孔104のランダム配置成型は、消しゴム製造時にその型入れ前の液状体にあるときゴム本体より大きく摩滅し易い、或いは解れ易い繊維状などの材質の直線状材（：直径0.07〜0.80ｍｍ×長さ1〜3mm）を攪拌混入させておいた後に、そのまま或いは型内で固化させる方法等がある。
【実施例５】
【００１２】
図５に実施例５を紹介する。
実施例５の消しゴムEは、曲線状細孔105を無方向にランダム配置した消しゴムである。
この消しゴムの曲線状細孔105のランダム配置成型は、消しゴム製造時にその型入れ前の液状体にあるときゴム本体より大きく摩滅し易い、或いは解れ易い繊維状などの材質の曲線状材（：直径0.07〜0.80ｍｍ×長さ1〜3mm）を攪拌混入させておいた後に、そのまま或いは型内で固化させる方法等がある。
【実施例６】
【００１３】
図６に実施例６を紹介する。
実施例６の消しゴムFは、中央部に直線状細孔106を前後に配列成型し、その周囲に球状の細孔107を無方向にランダム配置した消しゴムである。
この消しゴムの中央部の直線状細孔106の成型は、実施例１と同様に消しゴム製造時にその型に軟質の或いは硬質の成型針を鋳包んで成型し、その周囲に実施例３と同様に超微細気泡を攪拌混入させたゴム液を流し込んで球状細孔107を成型し、固化後に成型針を抜き取る方法がある。
【実施例７】
【００１４】
図７に実施例７を紹介する。
実施例７の消しゴムＧは、直径0.2mmの斜線状細孔108を刺し込み成型した消しゴムである。
この消しゴムの斜線状細孔108の成型は、消しゴム本体を成型後に、成型針を斜めに刺し込んで成型したものである。これは実施例１より多くの字消し擦り面を確保して字けし効果を助長する優れものである。
以上本考案の消しゴムにおける細孔は、用途又は消しゴムを持つ形態に応じて単独又は直線状細孔、球状細孔、曲線状細孔を適宜に組み合わせた多層構成してよく、また混合構成するなど各種を組み合わせることができるものである。
【産業上の利用可能性】
【００１５】
本考案の「消しゴム」は、前述のように、その材質を変えることなく、細孔を多数成型配置した極めて簡単な構造で、該細孔による字消し擦り面の増強により、紙などに鉛筆で書いた字を、軽いタッチで、早く、綺麗に消すことができる素晴らしい消しゴムである。更に該細孔のクッション効能によりゴム本体を折損やヒビ（罅）割させるなどの損傷を皆無にし、その寿命を著しく延命さるなどの優れた作用効果をもたらすものである。
これにより学校における学生や、事務所における事務員などに広く活用され、効率のよいしかも楽しく筆記活動がなされ教育業界、学用品製造業界など、この種文化産業界に多大な貢献をもたらすものである。
【図面の簡単な説明】
【００１６】
【図１】本考案の実施例１の消しゴムを示す斜視説明図（左図）と矢視a-aからの断面図(右図)である。断面図は見易いように拡大表示してある。以下の図も同様である、
【図２】本考案の実施例２の消しゴムを示す斜視説明図（左図）と矢視b-bからの断面図(右図)である。
【図３】本考案の実施例３の消しゴムを示す斜視説明図（左図）と矢視c-cからの断面図(右図)である。
【図４】本考案の実施例４の消しゴムを示す斜視説明図（左図）と矢視d-dからの断面図(右図)である。
【図５】本考案の実施例５の消しゴムを示す斜視説明図（左図）と矢視e-eからの断面図(右図)である。
【図６】本考案の実施例６の消しゴムを示す斜視説明図（左図）と矢視f-fからの断面図(右図)である。
【図７】本考案の実施例７の消しゴムを示す斜視説明図（左図）と矢視g-gからの断面図(右図)である。
【符号の説明】
【００１７】
A,B,C,D,E,F,G    消しゴム
101  直線状細孔
102  曲線状細孔
103  球状細孔
104  直線状細孔
105  曲線状細孔
106  直線状細孔
・  球状細孔
・  斜線状細孔
【図１】
0003158219.tif 000003
【図２】
0003158219.tif 000004
【図３】
0003158219.tif 000005
【図４】
0003158219.tif 000006
【図５】
0003158219.tif 000007
【図６】
0003158219.tif 000008
【図７】
0003158219.tif 000009
【手続補正書】
【提出日】平成21年12月26日(2009.12.26)
【手続補正１】
【補正対象書類名】実用新案登録請求の範囲
【補正対象項目名】全文
【補正方法】変更
【補正の内容】
【実用新案登録請求の範囲】
【請求項１】
鉛筆で書いた字を消す消しゴムであって、けしゴム本体に直径が１．０ｍｍ以下の細孔を設けたことを特徴とする消しゴム。
【請求項２】
細孔が前後に渡っていることを特徴とする請求項１に記載の消しゴム。
【請求項３】
細孔が無方向であることを特徴とする請求項１に記載の消しゴム。
【請求項４】
細孔を曲線線又は直線状にしたことを特徴とする請求項１〜３のいずれか１項に記載の消しゴム。
【請求項５】
細孔を真球状又は楕球状にしたことを特徴とする請求項１〜３のいずれか１項に記載の消しゴム。